(57)【要約】      （修正有）【課題】手持ち装置で外部入力装置に対応する設定パラメーターを読み取ることや書き換えることができる電子システムを提供する。【解決手段】ユーザーによる操作に対応する入力データを出力する外部入力装置１と、外部入力装置１に対応する現在の設定パラメーターが記録される第１の記録媒体２と、外部入力装置１に接続する第１の接続インターフェイス３１を介して外部入力装置１から入力データを受け取る際、第１の記録媒体２に記録されている現在の設定パラメーターを参照して、入力データ及び現在の設定パラメーターに共に対応する処理を行う電子装置４と、第２の接続インターフェイス３２を介して電子装置４と接続し、ユーザーの操作に応じて、電子装置４を経由して第１の記録媒体２に記録されている現在の設定パラメーターの読み取り及び書き換えができるように構成された手持ち装置５とを備える。【選択図】図１
2015036976.tif 000002
【特許請求の範囲】
【請求項１】
ユーザーによる操作を受けて前記ユーザーによる操作に対応する入力データを出力する外部入力装置と、
前記外部入力装置に対応する現在の設定パラメーターが記録される第１の記録媒体と、
前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、
第２の接続インターフェイスを介して前記電子装置と接続し、ユーザーの操作に応じて、前記電子装置を経由して前記第１の記録媒体に記録されている前記現在の設定パラメーターの読み取り及び書き換えができるように構成された手持ち装置とを備える電子システム。
【請求項２】
前記手持ち装置は、
情報を表示することができる表示ユニットと、
ユーザーによる操作を受けることができる入力ユニットと、
パラメーター情報を記録することができる第２の記録媒体と、
前記表示ユニットと前記入力ユニットと前記第２の記録媒体を制御する制御ユニットとを備えるものである上、
前記制御ユニットは、
前記第２の接続インターフェイスを経由して前記電子装置に対して前記現在の設定パラメーターを前記第１の記録媒体から読み取って前記制御ユニットに出力する要求を出力することと、
前記電子装置が前記第２の接続インターフェイスを経由して送ってきた前記現在の設定パラメーターを前記第２の記録媒体に記録することと、
前記第２の記録媒体に記録されている前記現在の設定パラメーターを前記表示ユニットに表示させることと、
ユーザーによる前記入力ユニットに対する操作に基づく更新設定パラメーターを前記入力ユニットから受信して前記第２の記録媒体に記録することと、
前記第１の記録媒体に記録されている前記現在の設定パラメーターを前記第２の記録媒体に記録されている前記更新設定パラメーターに書き換える要求を前記第２の接続インターフェイスを経由して前記電子装置に出力することと、
ができるように構成されていることを特徴とする請求項１に記載の電子システム。
【請求項３】
前記第１の記録媒体が前記電子装置に組み込まれていることを特徴とする請求項１に記載の電子システム。
【請求項４】
前記第１の記録媒体が前記外部入力装置に組み込まれていることを特徴とする請求項１に記載の電子システム。
【請求項５】
複数キー入力設定パラメーターと、マウス感度パラメーターと、キー有効／無効設定パラメーターと、カーソル有効／無効設定パラメーターと、マウスサンプルレート設定パラメーターと、スクロールホイール有効／無効設定パラメーターと、キーボード入力遅延設定パラメーターと、キーボード入力速度設定パラメーターと、
からなるパラメーターの群において、少なくとも１つのパラメーターが前記現在の設定パラメーターに含まれていることを特徴とする請求項１に記載の電子システム。
【請求項６】
前記入力ユニットはタッチパネルを有することを特徴とする請求項２に記載の電子システム。
【請求項７】
ユーザーによる操作を受けて前記ユーザーによる操作に対応する入力データを出力する外部入力装置と、
前記外部入力装置に対応する現在の設定パラメーターが記録される第１の記録媒体と、
前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、
第２の接続インターフェイスを介して前記電子装置と接続する手持ち装置とを備える電子システムに所定のプロセスを実行させるプログラムであって、
ユーザーの前記手持ち装置に対する操作に応じて、前記第２の接続インターフェイスを経由して、前記第１の記録媒体に記録されている前記現在の設定パラメーターの読み取りプロセス及び書き替えプロセスを前記電子装置に実行させることを特徴とするプログラム。
【請求項８】
前記手持ち装置は、
情報を表示することができる表示ユニットと、
ユーザーによる操作を受けることができる入力ユニットと、
パラメーター情報を記録することができる第２の記録媒体と、
前記表示ユニットと前記入力ユニットと前記第２の記録媒体を制御する制御ユニットとを備えるものであり、
前記プログラムは、前記制御ユニットに
前記第２の接続インターフェイスを経由して前記電子装置に対して前記現在の設定パラメーターを前記第１の記録媒体から読み取って前記制御ユニットに出力する要求を出力するプロセスと、
前記電子装置が前記第２の接続インターフェイスを経由して送ってきた前記現在の設定パラメーターを前記第２の記録媒体に記録するプロセスと、
前記第２の記録媒体に記録されている前記現在の設定パラメーターを前記表示ユニットに表示させるプロセスと、
ユーザーによる前記入力ユニットに対する操作に基づく更新設定パラメーターを前記入力ユニットから受信して前記第２の記録媒体に記録するプロセスと、
前記第１の記録媒体に記録されている前記現在の設定パラメーターを前記第２の記録媒体に記録されている前記更新設定パラメーターに書き換える要求を前記第２の接続インターフェイスを経由して前記電子装置に出力するプロセスと、
を実行させることにより、前記第１の記録媒体に記録されている前記現在の設定パラメーターを読み取るプロセス及び書き換えるプロセスを前記電子装置に実行させることを特徴とする請求項８に記載のプログラム。
【請求項９】
ユーザーによる操作を受けて前記ユーザーによる操作に対応する入力データを出力する外部入力装置と、
前記外部入力装置に対応する現在の設定パラメーターが記録される第１の記録媒体と、
前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、
第２の接続インターフェイスを介して前記電子装置と接続する手持ち装置とを備える電子システムに所定のプロセスを実行させるプログラムセットであって、
ユーザーの前記手持ち装置に対する操作に応じて、前記第２の接続インターフェイスを経由して、前記電子装置に対して前記第１の記録媒体に記録されている前記現在の設定パラメーターの読み取りまたは書き換えを要求するプロセスを前記手持ち装置に実行させる第１のプログラムと、
前記手持ち装置が前記第２の接続インターフェイスを経由して送ってきた前記現在の設定パラメーターの読み取りまたは書き換えの要求に応じて、前記第１の記録媒体に記録されている前記現在の設定パラメーターの読み取りプロセス及び書き替えプロセスを前記電子装置に実行させる第２のプログラムとからなることを特徴とするプログラムセット。
【請求項１０】
前記手持ち装置は、
情報を表示することができる表示ユニットと、
ユーザーによる操作を受けることができる入力ユニットと、
パラメーター情報を記録することができる第２の記録媒体と、
前記表示ユニットと前記入力ユニットと前記第２の記録媒体を制御する制御ユニットとを備えるものであり、
前記第１のプログラムは、
前記第２の接続インターフェイスを経由して前記電子装置に対して前記現在の設定パラメーターを前記第１の記録媒体から読み取って前記制御ユニットに出力する要求を出力するプロセスと、
前記電子装置が前記第２の接続インターフェイスを経由して送ってきた前記現在の設定パラメーターを前記第２の記録媒体に記録するプロセスと、
前記第２の記録媒体に記録されている前記現在の設定パラメーターを前記表示ユニットに表示させるプロセスと、
ユーザーによる前記入力ユニットに対する操作に基づく更新設定パラメーターを前記入力ユニットから受信して前記第２の記録媒体に記録するプロセスと、
前記第１の記録媒体に記録されている前記現在の設定パラメーターを前記第２の記録媒体に記録されている前記更新設定パラメーターに書き換える要求を前記第２の接続インターフェイスを経由して前記電子装置に出力するプロセスと、を前記制御ユニットに実行させるように構成されており、
前記第２のプログラムは、
前記第２の接続インターフェイスを経由して前記手持ち装置により送られてきた前記現在の設定パラメーターを前記第１の記録媒体から読み取る要求に応じて、前記現在の設定パラメーターを前記第１の記録媒体から読み取った上で前記第２の接続インターフェイスを経由して前記手持ち装置に送信するプロセスと、
前記第２の接続インターフェイスを経由して前記手持ち装置により送られてきた前記現在の設定パラメーターを前記更新設定パラメーターに書き換える要求に応じて、前記現在の設定パラメーターを前記更新設定パラメーターに書き換えるプロセスと、
を前記電子装置に実行させるように構成されていることを特徴とする請求項９に記載のプログラムセット。
【発明の詳細な説明】
【技術分野】
【０００１】
本発明は電子システム及び該電子システムを制御するプログラム及びプログラムセットに関し、キーボードやマウスなどの外部入力装置を含む電子システム及び該電子システムを制御するプログラム及びプログラムセットに関する。
【背景技術】
【０００２】
従来では、キーボードやマウスなどの外部入力装置を含む電子システムにおいて、外部入力装置に関する様々な設定は、電子システムのオペレーティングシステムにおけるコントロールパネルか、外部入力装置に対応するドライバープログラムで変更しなければならない。
【０００３】
一方、例えば主に実行されるプログラムを常時にフルスクリーンで監視しなければならない場合、コントロールパネルまたはドライバープログラムを開くことがシステムまたはユーザーの都合上できないこともある。
【０００４】
特許文献１では、外部入力装置に配置されている機能キーの押圧を受け検知スイッチが触発されると、検知信号を発生させてプロセッサーへ伝送し、外部入力装置の操作モードを切り換える技術が開示されているが、機能キーにより行われる制御の幅が外部入力装置に配置できる機能キーの数に限られているため、結局特許文献１に記載されているように、予め定められていた幾つかの操作モードの間で切り替えることぐらいしか出来ない。
【先行技術文献】
【特許文献】
【０００５】
【特許文献１】特開２０１４−５６３６３号公報
【発明の概要】
【発明が解決しようとする課題】
【０００６】
上記問題点に鑑みて、本発明は外部入力装置に対応する設定パラメーターを手持ち装置で読み取ることや書き換えることができる電子システム及び該電子システムを制御するプログラム及びプログラムセットの提供を目的とする。
【課題を解決するための手段】
【０００７】
上記目的を達成すべく、本発明は、ユーザーによる操作を受けて前記ユーザーによる操作に対応する入力データを出力する外部入力装置と、前記外部入力装置に対応する現在の設定パラメーターが記録される第１の記録媒体と、前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、第２の接続インターフェイスを介して前記電子装置と接続し、ユーザーの操作に応じて、前記電子装置を経由して前記第１の記録媒体に記録されている前記現在の設定パラメーターの読み取り及び書き換えができるように構成された手持ち装置とを備える電子システムを提供する。
【０００８】
上記電子システムにおいて、前記手持ち装置は、情報を表示することができる表示ユニットと、ユーザーによる操作を受けることができる入力ユニットと、パラメーター情報を記録することができる第２の記録媒体と、前記表示ユニットと前記入力ユニットと前記第２の記録媒体を制御する制御ユニットとを備えるものである上、前記制御ユニットは、前記第２の接続インターフェイスを経由して前記電子装置に対して前記現在の設定パラメーターを前記第１の記録媒体から読み取って前記制御ユニットに出力する要求を出力することと、前記電子装置が前記第２の接続インターフェイスを経由して送ってきた前記現在の設定パラメーターを前記第２の記録媒体に記録することと、前記第２の記録媒体に記録されている前記現在の設定パラメーターを前記表示ユニットに表示させることと、ユーザーによる前記入力ユニットに対する操作に基づく更新設定パラメーターを前記入力ユニットから受信して前記第２の記録媒体に記録することと、前記第１の記録媒体に記録されている前記現在の設定パラメーターを前記第２の記録媒体に記録されている前記更新設定パラメーターに書き換える要求を前記第２の接続インターフェイスを経由して前記電子装置に出力することと、ができるように構成されていることが好ましい。
【０００９】
上記電子システムにおいて、前記第１の記録媒体が前記電子装置に組み込まれるように構成されることができる。
【００１０】
上記電子システムにおいて、前記第１の記録媒体が前記外部入力装置に組み込まれるように構成されることもできる。
【００１１】
上記電子システムにおいて、複数キー入力設定パラメーターと、マウス感度パラメーターと、キー有効／無効設定パラメーターと、カーソル有効／無効設定パラメーターと、マウスサンプルレート設定パラメーターと、スクロールホイール有効／無効設定パラメーターと、キーボード入力遅延設定パラメーターと、キーボード入力速度設定パラメーターと、からなるパラメーターの群において、少なくとも１つのパラメーターが前記現在の設定パラメーターに含まれていることが好ましい。
【００１２】
上記電子システムにおいて、前記入力ユニットはタッチパネルを有するように構成されることが好ましい。
【００１３】
また、本発明は、ユーザーによる操作を受けて前記ユーザーによる操作に対応する入力データを出力する外部入力装置と、前記外部入力装置に対応する現在の設定パラメーターが記録される第１の記録媒体と、前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、第２の接続インターフェイスを介して前記電子装置と接続する手持ち装置とを備える電子システムに所定のプロセスを実行させるプログラムであって、ユーザーの前記手持ち装置に対する操作に応じて、前記第２の接続インターフェイスを経由して、前記第１の記録媒体に記録されている前記現在の設定パラメーターの読み取りプロセス及び書き替えプロセスを前記電子装置に実行させることを特徴とするプログラムをも提供する。
【００１４】
上記プログラムにおいて、前記手持ち装置は、情報を表示することができる表示ユニットと、ユーザーによる操作を受けることができる入力ユニットと、パラメーター情報を記録することができる第２の記録媒体と、前記表示ユニットと前記入力ユニットと前記第２の記録媒体を制御する制御ユニットとを備えるものであり、前記プログラムは、前記制御ユニットに前記第２の接続インターフェイスを経由して前記電子装置に対して前記現在の設定パラメーターを前記第１の記録媒体から読み取って前記制御ユニットに出力する要求を出力するプロセスと、前記電子装置が前記第２の接続インターフェイスを経由して送ってきた前記現在の設定パラメーターを前記第２の記録媒体に記録するプロセスと、前記第２の記録媒体に記録されている前記現在の設定パラメーターを前記表示ユニットに表示させるプロセスと、ユーザーによる前記入力ユニットに対する操作に基づく更新設定パラメーターを前記入力ユニットから受信して前記第２の記録媒体に記録するプロセスと、前記第１の記録媒体に記録されている前記現在の設定パラメーターを前記第２の記録媒体に記録されている前記更新設定パラメーターに書き換える要求を前記第２の接続インターフェイスを経由して前記電子装置に出力するプロセスと、を実行させることにより、前記第１の記録媒体に記録されている前記現在の設定パラメーターを読み取るプロセス及び書き換えるプロセスを前記電子装置に実行させることように組まれることが好ましい。
【００１５】
また、本発明は、ユーザーによる操作を受けて前記ユーザーによる操作に対応する入力データを出力する外部入力装置と、前記外部入力装置に対応する現在の設定パラメーターが記録される第１の記録媒体と、前記外部入力装置に接続する第１の接続インターフェイスを介して前記外部入力装置から前記入力データを受け取る際、前記第１の記録媒体に記録されている前記現在の設定パラメーターを参照して、前記入力データ及び前記現在の設定パラメーターに共に対応する処理を行う電子装置と、第２の接続インターフェイスを介して前記電子装置と接続する手持ち装置とを備える電子システムに所定のプロセスを実行させるプログラムセットであって、ユーザーの前記手持ち装置に対する操作に応じて、前記第２の接続インターフェイスを経由して、前記電子装置に対して前記第１の記録媒体に記録されている前記現在の設定パラメーターの読み取りまたは書き換えを要求するプロセスを前記手持ち装置に実行させる第１のプログラムと、前記手持ち装置が前記第２の接続インターフェイスを経由して送ってきた前記現在の設定パラメーターの読み取りまたは書き換えの要求に応じて、前記第１の記録媒体に記録されている前記現在の設定パラメーターの読み取りプロセス及び書き替えプロセスを前記電子装置に実行させる第２のプログラムとからなることを特徴とするプログラムセットをも提供する。
【００１６】
上記プログラムセットにおいて、前記手持ち装置は、情報を表示することができる表示ユニットと、ユーザーによる操作を受けることができる入力ユニットと、パラメーター情報を記録することができる第２の記録媒体と、前記表示ユニットと前記入力ユニットと前記第２の記録媒体を制御する制御ユニットとを備えるものであり、前記第１のプログラムは、前記第２の接続インターフェイスを経由して前記電子装置に対して前記現在の設定パラメーターを前記第１の記録媒体から読み取って前記制御ユニットに出力する要求を出力するプロセスと、前記電子装置が前記第２の接続インターフェイスを経由して送ってきた前記現在の設定パラメーターを前記第２の記録媒体に記録するプロセスと、前記第２の記録媒体に記録されている前記現在の設定パラメーターを前記表示ユニットに表示させるプロセスと、ユーザーによる前記入力ユニットに対する操作に基づく更新設定パラメーターを前記入力ユニットから受信して前記第２の記録媒体に記録するプロセスと、前記第１の記録媒体に記録されている前記現在の設定パラメーターを前記第２の記録媒体に記録されている前記更新設定パラメーターに書き換える要求を前記第２の接続インターフェイスを経由して前記電子装置に出力するプロセスと、を前記制御ユニットに実行させるように構成されており、前記第２のプログラムは、前記第２の接続インターフェイスを経由して前記手持ち装置により送られてきた前記現在の設定パラメーターを前記第１の記録媒体から読み取る要求に応じて、前記現在の設定パラメーターを前記第１の記録媒体から読み取った上で前記第２の接続インターフェイスを経由して前記手持ち装置に送信するプロセスと、前記第２の接続インターフェイスを経由して前記手持ち装置により送られてきた前記現在の設定パラメーターを前記更新設定パラメーターに書き換える要求に応じて、前記現在の設定パラメーターを前記更新設定パラメーターに書き換えるプロセスと、を前記電子装置に実行させるように構成されていることが好ましい。
【発明の効果】
【００１７】
上記構成によれば、本発明はユーザーの手持ち装置に対する操作に応じて、電子装置を経由して第１の記録媒体に記録されている外部入力装置の現在の設定パラメーターの読み取り及び書き換えができるので、電子装置において主に実行されるプログラムを常時にフルスクリーンで監視しながら、コントロールパネルまたはドライバープログラムを開くことなく、手持ち装置に対する操作で外部入力装置の現在の設定パラメーターの読み取り及び書き換えができる。
【図面の簡単な説明】
【００１８】
【図１】本発明の電子システムの第１の実施形態の構成が示されるブロック図である。
【図２】本発明のプログラムセットにより行われるプロセスの流れが示されているフローチャートである。
【図３】本発明の電子システムの第２の実施形態の構成が示されるブロック図である。
【発明を実施するための形態】
【００１９】
以下では各図面を参照しながら、本発明について詳しく説明する。
【００２０】
図１は本発明の電子システムの第１の実施形態の構成が示されるブロック図であり、図２は本発明のプログラムセットにより行われるプロセスの流れが示されているフローチャートである。
【００２１】
図１に示されているように、本発明の電子システムは、ユーザーによる操作を受けて前記ユーザーによる操作に対応する入力データを出力する外部入力装置１と、外部入力装置１に対応する現在の設定パラメーターが記録される第１の記録媒体２と、外部入力装置１に接続する第１の接続インターフェイス３１を介して外部入力装置１から入力データを受け取る際、第１の記録媒体２に記録されている現在の設定パラメーターを参照して、入力データ及び現在の設定パラメーターに共に対応する処理を行う電子装置４と、第２の接続インターフェイス３２を介して電子装置４と接続する手持ち装置５とを備えている。
【００２２】
外部入力装置１は、例えばキーボードやマウス、トラックボール、ジョイスティック、ゲームパッドなど、ユーザーによる操作を受けて前記ユーザーによる操作に対応する入力データをコンピューターなど情報を処理する電子装置に対して出力するものであり、外部入力装置１に対応する設定パラメーターは、例えばキーボードに対応する複数キー入力設定パラメーターまたはキー有効／無効設定パラメーター、入力遅延設定パラメーター、入力速度設定パラメーターや、マウスやトラックボールなどに対応する感度パラメーターまたはサンプルレート設定パラメーター、カーソル有効／無効設定パラメーター、スクロールホイール有効／無効設定パラメーターなどが挙げられる。
【００２３】
第１の記録媒体２は例えば、ＲＡＭ（Random Access Memory）、ＥＥＰＲＯＭ（Electrically Erasable Programmable Read-Only Memory）、フラッシュメモリ、ハードディスク装置やＳＳＤ（Solid State Drive）などの記憶装置やＵＳＢ（Universal Serial Bus）メモリなど、データを記録することができ且つ書き換えることができるストレージ手段であり、この実施形態では電子装置４に組み込まれている。
【００２４】
第１の接続インターフェイス３１及び第２の接続インターフェイス３２は、それぞれ外部入力装置１または手持ち装置５を電子装置４に接続して信号またはデータをやり取りするためのインターフェイスであり、例えば、ＲＳ２３２、ＵＳＢ、有線ＬＡＮ（Local Area Network）やＢｌｕｅｔｏｏｔｈ（登録商標）、Ｗｉ−Ｆｉ（登録商標）、ＷｉＭＡＸ（Worldwide Interoperability for Microwave Access、登録商標）、無線ＬＡＮ、ＩＥＥＥ  ８０２.１１ｂ、ＬＴＥ（Long Term Evolution）、ＬＴＥ‐Ａｄｖａｎｃｅｄ、第５世代移動通信システム等の規格に従った通信を行うインターフェイスであれば、有線、無線に構わず利用することができる。
【００２５】
電子装置４は外部入力装置１が出力した入力データを受け取る際、第１の記録媒体２に記録されている現在の設定パラメーターを参照して、入力データ及び現在の設定パラメーターに共に対応する処理を行う処理手段４１と、出力手段としてのモニター４２と、を有するものであり、処理手段４１としては、例えばＣＰＵやメモリコントローラ、Ｉ／Ｏコントローラなどが搭載されるマザーボードを備えるものを挙げることができる。ちなみに、この実施形態において、第１の記録媒体２は処理手段４１に組み込まれてメモリコントローラにより制御されるメモリ（ＲＡＭ）である。
【００２６】
本発明に使用される手持ち装置５は、情報を表示することができる表示ユニット５１と、ユーザーによる操作を受けることができる入力ユニット５２と、読み取った現在の設定パラメーターやユーザーにより入力されて該現在の設定パラメーターを書き換える予定の更新設定パラメーターなどのパラメーター情報を記録することができる第２の記録媒体５３と、表示ユニット５１と入力ユニット５２と第２の記録媒体５３を制御する制御ユニット５４とを備えるものであり、例えば電子書籍用のリーダーや、スマートフォン、ポータブルマルチメディアプレイヤー、タブレットコンピュータ等、軽便で持ち歩くことに適し、表示ユニットと入力ユニットとを一体化をしたタッチパネルを有するデジタル装置を本発明の手持ち装置５として利用することができる。
【００２７】
一方、本発明の目的である手持ち装置で外部入力装置に対応する設定パラメーターを読み取ることや書き換えることができる電子システムを提供するため、手持ち装置５はユーザーの手持ち装置５の入力ユニット５２に対する操作に応じて、制御ユニット５４が電子装置４を経由して第１の記録媒体２に記録されている前記現在の設定パラメーターの読み取り及び書き換えができるように構成される必要があり、これを実現するため手持ち装置５の制御ユニット５４を
（Ａ）前記現在の設定パラメーターを第１の記録媒体２から読み取って第２の接続インターフェイス３２を経由して制御ユニット５４に出力する要求を、第２の接続インターフェイス３２を経由して電子装置４に対して出力することと、
（Ｂ）電子装置４が第２の接続インターフェイス３２を経由して送ってきた前記現在の設定パラメーターを第２の記録媒体５３に記録することと、
（Ｃ）第２の記録媒体５３に記録されている前記現在の設定パラメーターを表示ユニット５１に表示させることと、
（Ｄ）ユーザーによる入力ユニット５２に対する操作に基づく更新設定パラメーターを入力ユニット５２から受信して第２の記録媒体５３に記録することと、
（Ｅ）第１の記録媒体２に記録されている前記現在の設定パラメーターを第２の記録媒体５３に記録されている更新設定パラメーターに書き換える要求を、第２の接続インターフェイス３２を経由して電子装置４に対して出力することと、の機能を実行できるように構成し、即ち、手持ち装置５に本発明のプログラムを実行させることによって達成することができる。
【００２８】
本発明のプログラムは、上記電子システムに、ユーザーの手持ち装置５に対する操作に応じて、第２の接続インターフェイス３２を経由して、第１の記録媒体２に記録されている現在の設定パラメーターの読み取りプロセス及び書き替えプロセスを電子装置４に実行させるものであり、具体的には手持ち装置５にインストールされるアプリケーションとして、手持ち装置５の制御ユニット５４に
（ａ）前記現在の設定パラメーターを第１の記録媒体２から読み取って第２の接続インターフェイス３２を経由して制御ユニット５４に出力する要求を、第２の接続インターフェイス３２を経由して電子装置４に対して出力するプロセスと、
（ｂ）電子装置４が第２の接続インターフェイス３２を経由して送ってきた前記現在の設定パラメーターを第２の記録媒体５３に記録するプロセスと、
（ｃ）第２の記録媒体５３に記録されている現在の設定パラメーターを表示ユニット５１に表示させるプロセスと、
（ｄ）ユーザーによる入力ユニット５２に対する操作に基づく更新設定パラメーターを入力ユニット５２から受信して第２の記録媒体５３に記録するプロセスと、
（ｅ）第１の記録媒体２に記録されている現在の設定パラメーターを第２の記録媒体５３に記録されている前記更新設定パラメーターに書き換える要求を、第２の接続インターフェイス３２を経由して電子装置４に出力するプロセスと、
を実行させることにより、第１の記録媒体２に記録されている現在の設定パラメーターを読み取るプロセス及び書き換えるプロセスを電子装置４に実行させて本発明の目的を達成する。
【００２９】
一方、手持ち装置５の制御ユニット５４からの「現在の設定パラメーターを第１の記録媒体２から読み取って第２の接続インターフェイス３２を経由して制御ユニット５４に出力する要求」と、「第１の記録媒体２に記録されている現在の設定パラメーターを第２の記録媒体５３に記録されている前記更新設定パラメーターに書き換える要求」とに対応して、電子装置４側では電子装置４のオペレーティング・システムで対応するか、あるいは外部入力装置１に対応するドライバープログラムで対応することによって下述する対応プロセスを実行できる。電子装置４側での対応プロセスは、
（ｆ）第２の接続インターフェイス３２を経由して手持ち装置５の制御ユニット５４により送られてきた前記現在の設定パラメーターを第１の記録媒体２から読み取る要求を受信し（ｆ１）、その要求に応じて、前記現在の設定パラメーターを第１の記録媒体２から読み取った上で（ｆ２）第２の接続インターフェイス３２を経由して手持ち装置５に送信する（ｆ３）プロセスと、
（ｇ）第２の接続インターフェイス３２を経由して手持ち装置５の制御ユニット５４により送られてきた前記現在の設定パラメーターを前記更新設定パラメーターに書き換える要求を受信し（ｇ１）、その要求に応じて、第１の記録媒体２に記録されている前記現在の設定パラメーターを前記更新設定パラメーターに書き換える（ｇ２）プロセスと、であり、そして必要に応じて（ｆ）と（ｇ）の間に
（ｈ）第２の接続インターフェイス３２を経由して手持ち装置５に設定パラメーターを送信してからの経過時間を計算し、所定の時間内でのみ（ｇ）の実行要請を受付けるプロセス
を挿入することも可能である。
【００３０】
つまり、本発明は、図２のフローチャートで示されているように、手持ち装置５の制御ユニット５４によって実行される上記プロセス（ａ）〜（ｅ）を第１のプログラムとし、そして電子装置４側で第１のプログラムに対応して実行される上記プロセス（ｆ）〜（ｈ）を第２のプログラムとすると、第１のプログラムと第２のプログラムとからなるプログラムセットの形で達成することもできる。
【００３１】
そして第１のプログラムは手持ち装置５に実行させるアプリケーションとして実現することができ、第２のプログラムは電子装置４にインストールされる外部入力装置１に対応するドライバープログラムか、電子装置４のオペレーティング・システムで実現することができる。
【００３２】
ちなみに、第１のプログラムはプロセス（ａ）〜（ｅ）のみを実行するプログラムではなく、例えばプロセス（ａ）を実行する前に表示ユニット５１にユーザーによるプロセス（ａ）を実行する命令を待ち受けるＧＵＩ（graphical user interface）を表示するプロセスや、プロセス（ｃ）において、現在の設定パラメーター以外にユーザーが参考したいと思われる例えば外部入力装置１の形式番号やドライバープログラムのバージョンなど参考的な情報を表示するプロセス、あるいはプロセス（ｃ）を実行した後、ユーザーによる操作次第でプロセス（ｄ）の実行をキャンセルするプロセスなどをも含むことが考えられるが、ここでは本発明の核心に関するプロセスを重点的に説明するので、従来技術に基づく補足的なプロセスに関する説明は省略している。
【００３３】
次いで、外部入力装置１がマウスであり、使用者が本発明で該マウスのＤＰＩ感度を変更する場合を例として、本発明の操作方法及び電子システムにおいて行われる各プロセスについて具体的に説明する。
【００３４】
上記本発明の第１の実施形態のプログラムが導入される電子システムにおいて、電子装置４のモニター４２が主に実行されるプログラムを常時にフルスクリーンで表示する際、使用者が外部入力装置１であるマウスのＤＰＩ感度を変えようとする時、まずは手持ち装置５の入力ユニット５２を操作して上記第１のプログラムを起動する。
【００３５】
起動される第１のプログラムは図２に示されるように、手持ち装置５の制御ユニット５４にプロセス（ａ）を実行させる。
【００３６】
そして制御ユニット５４がプロセス（ａ）に従って、前記現在の設定パラメーターにおける少なくともマウスのＤＰＩ感度に対応するパラメーターを第１の記録媒体２から読み取って第２の接続インターフェイス３２を経由して制御ユニット５４に出力する要求を、第２の接続インターフェイス３２を経由して電子装置４に対して出力し、電子装置４側にある第２のプログラムにおけるプロセス（ｆ）はサブステップ（ｆ１）において該要求を受信すると、該要求に応じて、前記現在の設定パラメーターにおける少なくともマウスのＤＰＩ感度に対応するパラメーターを第１の記録媒体２から読み取るサブステップ（ｆ２）と、第２の接続インターフェイス３２を経由して手持ち装置５に送信するサブステップ（ｆ３）を処理手段４１に実行させる上、所定の時間のみプロセス（ｇ）の実行要請を受付けるプロセス（ｈ）を実行する。
【００３７】
手持ち装置５側で電子装置４の処理手段４１が第２の接続インターフェイス３２を経由して送ってきた前記現在の設定パラメーターを受信すると、プロセス（ｂ）に従って該現在の設定パラメーターを手持ち装置５が有する第２の記録媒体５３に記録する上、プロセス（ｃ）に従って第２の記録媒体５３に記録されている現在の設定パラメーターを表示ユニット５１に表示させ、ユーザーによる更なる操作を待ち受ける。
【００３８】
そしてユーザーが入力ユニット５２を操作して例えばマウスのＤＰＩ感度を８００ｄｐｉから１０００ｄｐｉに変更する更新設定パラメーターを入力ユニット５２に入力すると、手持ち装置５の制御ユニット５４はプロセス（ｄ）に従って入力ユニット５２から受信した１０００ｄｐｉに該当する更新設定パラメーターを第２の記録媒体５３に記録する上、プロセス（ｅ）を実行して、第１の記録媒体２に記録されている現在の設定パラメーターにおけるマウスのＤＰＩ感度に対応するパラメーターを第２の記録媒体５３に記録されている１０００ｄｐｉに該当する更新設定パラメーターに書き換える要求を、第２の接続インターフェイス３２を経由して電子装置４に出力する。
電子装置４側の処理手段４１は、プロセス（ｈ）で計算される手持ち装置５に設定パラメーターを送信してからの経過時間が所定の時間内で、第２の接続インターフェイス３２を経由して手持ち装置５の制御ユニット５４により送られてきた前記現在の設定パラメーターを前記更新設定パラメーターに書き換える要求を受信すると（ｇ１）、サブステップ（ｇ２）を実行し、該要求に応じて、第１の記録媒体２に記録されている前記現在の設定パラメーターにおけるマウスのＤＰＩ感度に対応するパラメーターを１０００ｄｐｉに該当する更新設定パラメーターに書き換える。
【００３９】
このように、本発明は電子装置４の主に実行されるプログラムを表示するモニター４２の表示内容を変更することなく、ユーザーの手持ち装置５に対する操作に応じて、第１の記録媒体２に記録されている外部入力装置１の現在の設定パラメーターの読み取り及び書き換えができる。
【００４０】
次いで、図３を用いて本発明の第２の実施形態について説明する。
【００４１】
図３は本発明の電子システムの第２の実施形態の構成が示されるブロック図であり、図示のように、本発明の電子システムの第２の実施形態は第１の実施形態とほぼ同じ構成になっているが、この第２の実施形態では第１の記録媒体２が電子装置４ではなく、外部入力装置１に組み込まれている。即ち、本発明において外部入力装置１に対応する現在の設定パラメーターが記録される第１の記録媒体２は電子装置４が有する記録媒体である必要がなく、外部入力装置１に組み込まれている記録媒体であっても、本発明を応用することができる。
【００４２】
また、この第２の実施形態において、電子装置４側で手持ち装置５からの現在の設定パラメーターの読み取りあるいは書き換えの要請に対応するプログラムは、第１の記録媒体２が組み込まれる外部入力装置１に対応するドライバープログラムである。
【産業上の利用可能性】
【００４３】
上記構成によれば、本発明はユーザーの手持ち装置に対する操作に応じて、電子装置を経由して第１の記録媒体に記録されている外部入力装置の現在の設定パラメーターの読み取り及び書き換えができるので、電子装置において主に実行されるプログラムを常時にフルスクリーンで監視しながら、コントロールパネルまたはドライバープログラムを開くことなく、手持ち装置に対する操作で外部入力装置の現在の設定パラメーターの読み取り及び書き換えができるので、電子装置の操作に必要な外部入力装置の設定を変更する手段を増やし、外部入力装置の使用利便性を一層高めることができる。
【符号の説明】
【００４４】
１  外部入力装置
２  第１の記録媒体
３１  第１の接続インターフェイス
３２  第２の接続インターフェイス
４  電子装置
４１  処理手段
４２  モニター
５  手持ち装置
５１  表示ユニット
５２  入力ユニット
５３  第２の記録媒体
５４  制御ユニット
【図１】
2015036976.tif 000003
【図２】
2015036976.tif 000004
【図３】
2015036976.tif 000005